(57)【特許請求の範囲】
【請求項１】
粉粒状物体を移送する装置であって、
断面がU字状を成して水平に延びかつ一端に搬出口を有する樋状のトラフと；
このトラフ内にこれに沿って延びかつ垂直面内で回転自在に支持された回転軸と；
ほぼ半楕円形の板状を成し、前記回転軸の前面側にこれの長手方向に沿って所要の間隔をおいて固着され、前記回転軸に対して粉粒状物体の安息角あるいは粉粒状物体との摩擦角以上の角度で傾斜され、直径の中央付近が切り欠かれて直径の一部が前記回転軸の胴部中央付近に位置するようにされ、さらに回転軸の一端側から見た時回転軸の中心を中心にしてほぼ半円形状を成す複数の第1送り羽根と；
ほぼ半楕円形の板状を成し、前記回転軸の後面側にこれの長手方向に沿って所要の間隔をおいて固着され、前記回転軸における法線を中心にして前記第1送り羽根の反対側に第1送り羽根が前記法線と成す角度とほぼ同一の角度で傾斜し、直径の中央付近が切り欠かれて直径の一部が前記回転軸の胴部中央付近に位置するようにされ、直径の先端付近が前記第1送り羽根の直径の先端付近と連結し、さらに回転軸の一端側から見た時回転軸の中心を中心にしてほぼ半円形状を成す複数の第２送り羽根と；
を具備したことを特徴とする粉粒状物体の移送装置。
【請求項２】
請求項１に記載の粉粒状物体の移送装置において、
複数の前記第1送り羽根および前記第２送り羽根によって構成して全体として一条の略螺旋物体を成すものを二条以上、複数の第1送り羽根および第２送り羽根がそれぞれ相互に等間隔をおくようにして前記回転軸に装着したことを特徴とする粉粒状物体の移送装置。
【発明の詳細な説明】
【０００１】
【産業上の利用分野】
本発明は、粉粒状物体を移送するのに好適な装置に関する。
【０００２】
【従来技術と課題】
従来、この種の装置の一つとして、いわゆるスクリューコンベヤがあるが、このスクリューコンベヤでは、回転軸に螺旋状に巻かれて装着されたリード部材が
、時間の経過と共に摩耗して外形の直径が小さくなり、この結果、輸送量が半減する。しかも、リード部材を製造するのに手間暇がかかるとともに回転軸に固着する作業も非常に厄介であるなどの問題があった。
【０００３】
本発明は、上記の事情に鑑みてなされたもので、その目的は、螺旋状のリード部材を用いることなく、スクリューコンベヤとほぼ同等の移送能力を有する上に
、製造が容易な粉粒状物体の移送装置を提供することにある。
【０００４】
【課題を解決するための手段】
上記の目的を達成するために本発明の粉粒状物体の移送装置は、粉粒状物体を移送する装置であって、断面がＵ字状を成して水平に延びかつ一端に搬出口を有する樋状のトラフと；このトラフ内にこれに沿って延びかつ垂直面内で回転自在に支持された回転軸と；ほぼ半楕円形の板状を成し、前記回転軸の前面側にこれの長手方向に沿って所要の間隔をおいて固着され、前記回転軸に対して粉粒状物体の安息角あるいは粉粒状物体との摩擦角以上の角度で傾斜され、直径の中央付近が切り欠かれて直径の一部が前記回転軸の胴部中央付近に位置するようにされ、さらに回転軸の一端側から見た時回転軸の中心を中心にしてほぼ半円形状を成す複数の第１送り羽根と；ほぼ半楕円形の板状を成し、前記回転軸の後面側にこれの長手方向に沿って所要の間隔をおいて固着され、前記回転軸における法線を中心にして前記第１送り羽根の反対側に第１送り羽根が前記法線と成す角度とほぼ同一の角度で傾斜し、直径の中央付近が切り欠かれて直径の一部が前記回転軸の胴部中央付近に位置するようにされ、直径の先端付近が前記第１送り羽根の直径の先端付近と連結し、さらに回転軸の一端側から見た時回転軸の中心を中心にしてほぼ半円形状を成す複数の第２送り羽根と；を具備したことを特徴とする。
【０００５】
このように構成されたものは、回転軸を介して第１送り羽根および第２送り羽根を回転軸を中心にして垂直面内で連続的に旋回させると、トラフ内の粉粒状物体は、まず、第１送り羽根によって掬い上げられた後第１送り羽根上を滑降移動してこれの下端から落下し、下端から落下した粉粒状物体は、同様にして、第２送り羽根によって掬い上げられた後第２送り羽根上を滑降移動してこれの下端から落下する。以上の動作が繰り返されて粉粒状物体は、トラフ内を移送されることとなる。
【０００６】
【発明の実施の形態】
以下、本発明の実施例について図面に基づき詳細に説明する。本粉粒状物体の移送装置の一実施例は、図１および図２に示すように、樋状のトラフ１と、トラフ１内にこれに沿って延びかつ垂直面内で回転自在に支持された回転軸２と、回転軸２に固着された複数の第１送り羽根３・３と、前記回転軸２に固着された第２送り羽根４・４で、構成してある。そして、前記トラフ１はホッパ５の下端に装着してあり、また、前記回転軸２は図示しない慣用の回転駆動装置によって回転するようになっている。
【０００７】
また、前記トラフ１は、図２に示すように、断面がＵ字状を成して水平に延びかつ一端に搬出口（図示せず）を有している。また、前記第１送り羽根３は、ほぼ半楕円形の板状を成し、前記回転軸２の前面側にこれの長手方向に沿って所要の間隔をおいて固着され、前記回転軸２に対して粉粒状物体の安息角あるいは粉粒状物体との摩擦角以上の角度で傾斜され、直径の中央付近が切り欠かれて直径の一部が前記回転軸２の胴部中央付近に位置するようにされ、さらに回転軸２の一端側から見た時回転軸２の中心を中心にしてほぼ半円形状を成している（図２参照）。
【０００８】
また、前記第２送り羽根４は、図１に示すように、ほぼ半楕円形の板状を成し
、前記回転軸２の後面側にこれの長手方向に沿って所要の間隔をおいて固着され、前記回転軸２における法線を中心にして前記第１送り羽根３・３の反対側に第１送り羽根３が前記法線と成す角度とほぼ同一の角度で傾斜し、直径の中央付近が切り欠かれて直径の一部が前記回転軸２の胴部中央付近に位置するようにされ
、直径の先端付近が前記第１送り羽根３の直径の先端付近と連結し、さらに回転軸２の一端側から見た時回転軸２の中心を中心にしてほぼ半円形状を成している（図２参照）。
【０００９】
このように構成したものは、回転軸２を介して第１送り羽根３・３および第２送り羽根４・４を回転軸２を中心にして垂直面内で連続的に旋回させると、トラフ１内の粉粒状物体は、まず、第１送り羽根３によって掬い上げられた後第１送り羽根３上を滑降移動してこれの下端から落下し、下端から落下した粉粒状物体は、同様にして、第２送り羽根４によって掬い上げられた後第２送り羽根４上を滑降移動してこれの下端から落下する。以上の動作が繰り返されて粉粒状物体は
、トラフ１内を移送されることとなる。
【 ００１０】
なお、上記の実施例では、第1送り羽根３・３および第２送り羽根４・４を、それぞれ1枚づつ回転軸２にこれの長手方向へ所要の間隔をおいて配設してこれら第1送り羽根３・３および第２送り羽根４・４は全体として一条の略螺旋物体を構成する構造になっているが、図3に示すように、回転軸２の長手方向へ所要の間隔をおいて配設された２枚の第1送り羽根３・３群および第２送り羽根４・４群あるいは２枚以上の第1送り羽根３・３群および第２送り羽根４・４群により、前記回転軸２の長手方向へ相互に所定距離ずらした二条の略螺旋物体を構成し、即ち、複数の第1送り羽根３・３および第２送り羽根４・４によって構成して全体としては一条の略螺旋物体を成すものを二条、複数の第1送り羽根３・３および第２送り羽根４・４がそれぞれ相互に等間隔をおくようにして前記回転軸２に装着する。これにより、さらに輸送能力を向上させることができる。そして、
前述の一条の略螺旋物体は三条以上設けるようにしてもよい。  
【００１１】
【発明の効果】
以上の説明から明らかなように本発明は、粉粒状物体を移送する装置であって
、断面がＵ字状を成して水平に延びかつ一端に搬出口を有する樋状のトラフと；このトラフ内にこれに沿って延びかつ垂直面内で回転自在に支持された回転軸と；ほぼ半楕円形の板状を成し、前記回転軸の前面側にこれの長手方向に沿って所要の間隔をおいて固着され、前記回転軸に対して粉粒状物体の安息角あるいは粉粒状物体との摩擦角以上の角度で傾斜され、直径の中央付近が切り欠かれて直径の一部が前記回転軸の胴部中央付近に位置するようにされ、さらに回転軸の一端側から見た時回転軸の中心を中心にしてほぼ半円形状を成す複数の第１送り羽根と；ほぼ半楕円形の板状を成し、前記回転軸の後面側にこれの長手方向に沿って所要の間隔をおいて固着され、前記回転軸における法線を中心にして前記第１送り羽根の反対側に第１送り羽根が前記法線と成す角度とほぼ同一の角度で傾斜し、直径の中央付近が切り欠かれて直径の一部が前記回転軸の胴部中央付近に位置するようにされ、直径の先端付近が前記第１送り羽根の直径の先端付近と連結し、さらに回転軸の一端側から見た時回転軸の中心を中心にしてほぼ半円形状を成す複数の第２送り羽根と；を具備したから、第１送り羽根および第２送り羽根の寿命が従来のリード部材と比較して長く、しかも、螺旋状のリード部材を用いることなくスクリューコンベヤとほぼ同等の移送能力を有する上に、製造が極めて容易になるなど優れた実用的効果を奏する。
【図面の簡単な説明】
【図１】本発明の一実施例の主要部を示す正面図である。
【図２】本発明の一実施例の主要部の側断面図である。
【図３】本発明の他の実施例の主要部を示す正面図である。
【符号の説明】
１  トラフ
２  回転軸
３  第１送り羽根
４  第２送り羽根
【図１】
0003596411.tif 000002
【図２】
0003596411.tif 000003
【図３】
0003596411.tif 000004